(57)【要約】      （修正有）【課題】伝導用液体の抵抗による耗損を減少でき、切割ワイヤが断裂しまたは切割位置からズレにくい切割方法を提供する。【解決手段】長手方向に往復動し、摩擦により切割作業を行うことができるように設置されている複数の切割ワイヤ４と、を備える超音波ワイヤ切割装置２を用意し、複数の切割ワイヤ４を、被切割物７００の押圧による下方への変形で伝導用液体２００と接触しないように、液面２０１より上方に所定の距離Ｈの位置に設定する準備工程と、被切割物７００を切割ワイヤ４へ移動させるによりスリット４００を形成しながら伝導用液体２００に進入させ、伝導用液体２００はスリット４００による毛細管現象で、スリット４００内に吸い上げられ、切割ワイヤ４を濡らすと共に、超音波発振機３から発する超音波振動が伝導用液体２００を介して切割ワイヤ４及び被切割物７００に伝導して、切割ワイヤ４で被切割物７００を超音波切割する切割工程とを含む。【選択図】図８
2018043341.tif 000002
【特許請求の範囲】
【請求項１】
上方に開口を有する貯液槽と、前記貯液槽に設置されている超音波発振機と、引っ張られていて前記貯液槽の前記開口の上方を横断し、且つ、長手方向に往復動し、摩擦により切割作業を行うことができるように設置されている複数の切割ワイヤと、を備える超音波ワイヤ切割装置を用意し、超音波振動を伝導できる伝導用液体を、液面が前記貯液槽内において所定の高さに達するように前記貯液槽に注入し、前記複数の切割ワイヤとして、いずれも、上方からくる被切割物に対して下から切割作業を行って、毛細管現象が生ずる幅のスリットを被切割物に形成できる直径を有するものを使用し、且つ、前記複数の切割ワイヤを、上方からくる被切割物が切割され始める時点から、下方へ進む先頭が前記伝導用液体の液面に接触した時点までの暫時のドライ切割段階に、前記切割ワイヤが上方からくる被切割物の押圧による下方への変形で前記伝導用液体と接触しないように、前記液面より上方に所定の距離の位置に設置する準備工程と、
前記超音波ワイヤ切割装置を作動させ、そして、被切割物を前記切割ワイヤの上方から前記切割ワイヤに切割されるように下方へ移動させ、前記下方移動により前記スリットを形成しながら被切割物の当該スリットの開口が形成された先頭を前記伝導用液体に進入させ、被切割物の前記下方移動中に、被切割物の前記スリットの開口が形成された先頭が前記伝導用液体に接触し始めた時点から前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記被切割物に伝導して、前記切割ワイヤで前記被切割物を超音波切割するウェット切割段階を行う切割工程と、を含むことを特徴とする切割方法。
【請求項２】
前記準備工程において、前記距離を２００ｍｍ以内に設定して前記切割ワイヤを設置することを特徴とする請求項１に記載の切割方法。
【請求項３】
前記準備工程において、前記切割ワイヤとして直径が４０μｍ〜１５０μｍの範囲内にあるものを使用することを特徴とする請求項１または請求項２に記載の切割方法。
【請求項４】
上方に開口を有しながら超音波振動を伝導できる伝導用液体を収容できるように構成されている貯液槽と、
前記貯液槽に設置されている超音波発振機と、
引っ張られていて前記貯液槽の前記開口の上方を横断し、且つ、長手方向に往復動し、摩擦により切割作業を行うことができるように設置されている複数の切割ワイヤと、を備えており、
前記複数の切割ワイヤは、いずれも、上方からくる被切割物に対して下から切割作業を行って、毛細管現象が生ずる幅のスリットを被切割物に形成できる直径を有するものであって、前記貯液槽に前記伝導用液体が注入されて、切割作業中に上方からくる被切割物が切割され始める時点から下方へ進む先頭がすでに前記貯液槽に収容されている前記伝導用液体の液面に接触した時点までの暫時のドライ切割段階に、切割ワイヤが上方からくる被切割物の押圧による下方への変形で前記伝導用液体と接触しないように、前記伝導用液体の前記液面より上方に所定の距離の位置に設置されていることを特徴とする超音波ワイヤ切割装置。
【請求項５】
前記複数の切割ワイヤは、いずれも、直径が４０μｍ〜１５０μｍの範囲内にあるものであることを特徴とする請求項４に記載の超音波ワイヤ切割装置。
【請求項６】
前記切割ワイヤは、前記距離が２００ｍｍ以内になるように設置されていることを特徴とする請求項４または請求項５に記載の超音波ワイヤ切割装置。
【請求項７】
前記超音波発振機は、前記貯液槽の前記伝導用液体を収容する収容空間内に設置されていることを特徴とする請求項４〜請求項６のいずれか一項に記載の超音波ワイヤ切割装置。
【請求項８】
前記複数の切割ワイヤは、水平面にて並列方向に沿って並列して所定の方向に延伸するように配列されており、
前記超音波発振機は、前記並列方向に沿って、前記貯液槽の前記所定の方向の両端側に設置されている複数の超音波振動子を備えていることを特徴とする請求項７に記載の超音波ワイヤ切割装置。
【請求項９】
上方に開口を有する貯液槽と、前記貯液槽に設置されている超音波発振機と、引っ張られていて前記貯液槽の前記開口の上方を横断し、且つ、長手方向に往復動し、摩擦により切割作業を行うことができるように設置されている複数の切割ワイヤと、を備える超音波ワイヤ切割装置を用意し、超音波振動を伝導できる伝導用液体を、液面が前記貯液槽内において所定の高さに達するように前記貯液槽に注入し、前記複数の切割ワイヤとして、いずれも、上方からくる被切割物に対して下から切割作業を行って、毛細管現象が生ずる幅のスリットを被切割物に形成できる直径を有するものを使用し、且つ、前記複数の切割ワイヤを、上方からくる被切割物が切割され始める時点から、下方へ進む先頭が前記伝導用液体の液面に接触した時点までの暫時のドライ切割段階に、前記切割ワイヤが上方からくる被切割物の押圧による下方への変形で前記伝導用液体と接触しないように、前記液面より上方に所定の距離の位置に設置する準備工程と、
前記超音波ワイヤ切割装置を作動させ、そして、ウェハーの原料となる結晶シリコンインゴットを前記切割ワイヤの上方から前記切割ワイヤに切割されるように下方へ移動させ、前記下方移動により前記スリットを形成しながら結晶シリコンインゴットの当該スリットの開口が形成された先頭を前記伝導用液体に進入させ、結晶シリコンインゴットの前記下方移動中に、結晶シリコンインゴットの前記スリットの開口が形成された先頭が前記伝導用液体に接触し始めた時点から前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記結晶シリコンインゴットに伝導して、前記切割ワイヤで前記結晶シリコンインゴットを超音波切割するウェット切割段階を行って、複数のウェハーを得る切割工程と
前記ウェハーをエッチングするエッチング工程と、を備えることを特徴とするウェハー製造方法。
【請求項１０】
被切割物を切割するための複数の切割ワイヤを有する超音波ワイヤ切割装置であって、
上方に開口を有しながら超音波振動を伝導できる伝導用液体を収容できるように構成されている貯液槽と、前記貯液槽に設置されている超音波発振機と、を備えており、
前記複数の切割ワイヤは、いずれも、上方からくる被切割物に対して下から切割作業を行って、毛細管現象が生ずる幅のスリットを被切割物に形成できる、直径を有するものであって、前記貯液槽に前記伝導用液体が注入されて、切割作業中に上方からくる被切割物が切割され始める時点から下方へ進む先頭がすでに前記貯液槽に収容されている前記伝導用液体の液面に接触した時点までの暫時のドライ切割段階に、切割ワイヤが上方からくる被切割物の押圧による下方への変形で前記伝導用液体と接触しないように、前記伝導用液体の前記液面より上方に所定の距離の位置で引っ張られていて前記貯液槽の前記開口の上方を横断して複数の互いに平行する長条網目を有する網状になり、且つ、該横断している切割ワイヤの長手方向に往復動し、摩擦により切割作業を行うことができるようにて設置されており、
それにより、被切割物の前記スリットの開口がなった先頭が前記伝導用液体に接触し始めると、前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記被切割物に伝導して、前記切割ワイヤで前記被切割物を超音波切割することができることを特徴とする超音波ワイヤ切割装置。
【発明の詳細な説明】
【技術分野】
【０００１】
本発明は超音波を利用する切割方法、その切割方法に使用する超音波ワイヤ切割装置及びウェハー製造方法に関する。
【背景技術】
【０００２】
特許文献１には、超音波を利用する切割方法及びその切割方法に使用する超音波ワイヤ切割装置が記載されている。特許文献１に記載されている超音波ワイヤ切割装置１は、図１に示されるように、上方に開口を有しながら超音波振動を伝導できる伝導用液体（砂の懸濁液）１１を収容する貯液槽１２と、貯液槽１２内に設置されている超音波振動子１３と、引っ張られていて貯液槽１２の前記開口の上方を横断し、且つ、長手方向に往復動し、摩擦により切割作業を行うことができるように設置されている複数の切割ワイヤ１５と、該複数の切割ワイヤ１５をその長手方向に往復動させることができるように複数の切割ワイヤ１５が設置されていて、貯液槽１２の反対両側に設置されている２つのロール１４と、を備える。
【０００３】
特許文献１に記載されている切割方法において、ウェハーの原料となる結晶シリコンインゴット１００を被切割物とし、図２に示されるように、ロール１４を回転することにより、切割ワイヤ１５を長手方向に往復動させ、そして、結晶シリコンインゴット１００を切割ワイヤ１５の上方から切割ワイヤ１５に切割されるように下方へ移動させて、切割ワイヤ１５を伝導用液体１１に浸入するように押圧して下方へ変形させることにより、切割ワイヤ１５が伝導用液体１１に浸入すると共に超音波発振子１３から発する超音波振動が伝導用液体１１を介して切割ワイヤ１５及び結晶シリコンインゴット１００に伝導して、切割ワイヤ１５で結晶シリコンインゴット１００を超音波切割する状態で結晶シリコンインゴット１００を切割する。
【０００４】
しかし、特許文献１に記載されている切割方法は、被切割物と切割ワイヤ１５とを伝導用液体１１に浸入させた状態で切割するので、切割ワイヤ１５の切割エネルギーが伝導用液体１１の抵抗により多く耗損され、且つ、切割ワイヤ１５が断裂しやすくなり、切割位置からズレやすくなるという欠点がある。
【先行技術文献】
【特許文献】
【０００５】
【特許文献１】中国特許出願公開第１０３０８５１７９Ａ号明細書
【発明の概要】
【発明が解決しようとする課題】
【０００６】
上記問題点に鑑みて、本発明は、伝導用液体の抵抗による耗損を減少でき、切割ワイヤが断裂しまたは切割位置からズレにくい切割方法、その切割方法に使用する超音波ワイヤ切割装置及びウェハー製造方法を提供することを目的とする。
【課題を解決するための手段】
【０００７】
上記目的を達成すべく、本発明は、上方に開口を有する貯液槽と、前記貯液槽に設置されている超音波発振機と、引っ張られていて前記貯液槽の前記開口の上方を横断し、且つ、長手方向に往復動し、摩擦により切割作業を行うことができるように設置されている複数の切割ワイヤと、を備える超音波ワイヤ切割装置を用意し、超音波振動を伝導できる伝導用液体を、液面が前記貯液槽内において所定の高さに達するように前記貯液槽に注入し、前記複数の切割ワイヤとして、いずれも、上方からくる被切割物に対して下から切割作業を行って、毛細管現象が生ずる幅のスリットを被切割物に形成できる直径を有するものを使用し、且つ、前記複数の切割ワイヤを、上方からくる被切割物が切割され始める時点から、下方へ進む先頭が前記伝導用液体の液面に接触した時点までの暫時のドライ切割段階に、前記切割ワイヤが上方からくる被切割物の押圧による下方への変形で前記伝導用液体と接触しないように、前記液面より上方に所定の距離の位置に設置する準備工程と、前記超音波ワイヤ切割装置を作動させ、そして、被切割物を前記切割ワイヤの上方から前記切割ワイヤに切割されるように下方へ移動させ、前記下方移動により前記スリットを形成しながら被切割物の当該スリットの開口がなった先頭を前記伝導用液体に進入させ、被切割物の前記下方移動中に、被切割物の前記スリットの開口がなった先頭が前記伝導用液体に接触し始めた時点から前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記被切割物に伝導して、前記切割ワイヤで前記被切割物を超音波切割するウェット切割段階を行う切割工程と、を含むことを特徴とする切割方法を提供する。
【０００８】
また、本発明は、上方に開口を有しながら超音波振動を伝導できる伝導用液体を収容できるように構成されている貯液槽と、前記貯液槽に設置されている超音波発振機と、引っ張られていて前記貯液槽の前記開口の上方を横断し、且つ、長手方向に往復動し、摩擦により切割作業を行うことができるように設置されている複数の切割ワイヤと、を備えており、前記複数の切割ワイヤは、いずれも、上方からくる被切割物に対して下から切割作業を行って、毛細管現象が生ずる幅のスリットを被切割物に形成できる直径を有するものであって、前記貯液槽に前記伝導用液体が注入されて、切割作業中に上方からくる被切割物が切割され始める時点から下方へ進む先頭がすでに前記貯液槽に収容されている前記伝導用液体の液面に接触した時点までの暫時のドライ切割段階に、切割ワイヤが上方からくる被切割物の押圧による下方への変形で前記伝導用液体と接触しないように、前記伝導用液体の前記液面より上方に所定の距離の位置に設置されていることを特徴とする超音波ワイヤ切割装置を提供する。
【０００９】
また、本発明は、上方に開口を有する貯液槽と、前記貯液槽に設置されている超音波発振機と、引っ張られていて前記貯液槽の前記開口の上方を横断し、且つ、長手方向に往復動し、摩擦により切割作業を行うことができるように設置されている複数の切割ワイヤと、を備える超音波ワイヤ切割装置を用意し、超音波振動を伝導できる伝導用液体を、液面が前記貯液槽内において所定の高さに達するように前記貯液槽に注入し、前記複数の切割ワイヤとして、いずれも、上方からくる被切割物に対して下から切割作業を行って、毛細管現象が生ずる幅のスリットを被切割物に形成できる直径を有するものを使用し、且つ、前記複数の切割ワイヤを、上方からくる被切割物が切割され始める時点から下方へ進む先頭が前記伝導用液体の液面に接触した時点までの暫時のドライ切割段階に切割ワイヤが上方からくる被切割物の押圧による下方への変形で前記伝導用液体と接触しないように、前記液面より上方に所定の距離の位置に設定する準備工程と、前記超音波ワイヤ切割装置を作動させ、そして、ウェハーの原料となる結晶シリコンインゴットを前記切割ワイヤの上方から前記切割ワイヤに切割されるように下方へ移動させ、前記下方移動により前記スリットを形成しながら結晶シリコンインゴットの当該スリットの開口がなった先頭を前記伝導用液体に進入させ、結晶シリコンインゴットの前記下方移動中に、結晶シリコンインゴットの前記スリットの開口がなった先頭が前記伝導用液体に接触し始めた時点から前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記結晶シリコンインゴットに伝導して、前記切割ワイヤで前記結晶シリコンインゴットを超音波切割するウェット切割段階を行って、複数のウェハーを得る切割工程と前記ウェハーをエッチングするエッチング工程と、を含むことを特徴とするウェハー製造方法を提供する。
【００１０】
また、本発明は、被切割物を切割するための複数の切割ワイヤを有する超音波ワイヤ切割装置であって、上方に開口を有しながら超音波振動を伝導できる伝導用液体を収容できるように構成されている貯液槽と、前記貯液槽に設置されている超音波発振機と、を備えており、前記複数の切割ワイヤは、いずれも、上方からくる被切割物に対して下から切割作業を行って、毛細管現象が生ずる幅のスリットを被切割物に形成できる、直径を有するものであって、前記貯液槽に前記伝導用液体が注入されて、切割作業中に上方からくる被切割物が切割され始める時点から下方へ進む先頭がすでに前記貯液槽に収容されている前記伝導用液体の液面に接触した時点までの暫時のドライ切割段階に、切割ワイヤが上方からくる被切割物の押圧による下方への変形で前記伝導用液体と接触しないように、前記伝導用液体の前記液面より上方に所定の距離の位置で引っ張られていて前記貯液槽の前記開口の上方を横断して複数の互いに平行する長条網目を有する網状になり、且つ、該横断している切割ワイヤの長手方向に往復動し、摩擦により切割作業を行うことができるようにて設置されており、それにより、被切割物の前記スリットの開口がなった先頭が前記伝導用液体に接触し始めると、前記伝導用液体は前記スリットによる前記毛細管現象で、前記スリット内に吸い上げられ、前記スリット内にある前記切割ワイヤを濡らすと共に、前記超音波発振機から発する超音波振動が前記伝導用液体を介して前記切割ワイヤ及び前記被切割物に伝導して、前記切割ワイヤで前記被切割物を超音波切割することができることを特徴とする超音波ワイヤ切割装置を提供する。
【発明の効果】
【００１１】
上記構成により、本発明の切割方法は、先ず超音波振動を伝導できる伝導用液体を、液面が貯液槽内において所定の高さに達するように貯液槽に注入し、そして、毛細管現象が生ずる幅のスリットを被切割物に形成できる直径を有する切割ワイヤを使用し、且つ、切割ワイヤを被切割物の押圧による下方への変形で伝導用液体と接触しないように伝導用液体の液面より上方に所定の距離の位置に設置するので、被切割物のスリットの開口が形成された先頭が伝導用液体に接触し始めた時点から伝導用液体はスリットによる毛細管現象で、スリット内に吸い上げられ、スリット内にある切割ワイヤを濡らし、切割ワイヤが伝導用液体に浸入せず超音波切割ができる。従って、従来の切割方法または超音波ワイヤ切割装置よりも伝導用液体の抵抗による耗損を減少でき、切割ワイヤが断裂しまたは切割位置からズレにくくなる。
【図面の簡単な説明】
【００１２】
【図１】特許文献１の超音波ワイヤ切割装置を示す断面図である。
【図２】上記の超音波ワイヤ切割装置で結晶シリコンインゴットを切割することを示す断面図である。
【図３】本発明の切割方法のプロセスを示す図である。
【図４】本発明の超音波ワイヤ切割装置の第１の実施形態を示す部分断面図である。
【図５】図４におけるＶ-Ｖ線に沿った部分断面図である。
【図６】本発明の超音波ワイヤ切割装置の第２の実施形態を示す断面図である。
【図７】上記第１の実施形態の超音波ワイヤ切割装置で被切割物を切割する前の状態を示す部分断面図である。
【図８】上記第１の実施形態の超音波ワイヤ切割装置で被切割物を切割する途中の状態を示す部分断面図である。
【図９】上記第１の実施形態の超音波ワイヤ切割装置で被切割物を切割する過程を示す部分断面図である。
【図１０】比較例の表面Ｒｓの光学顕微鏡による画像である。
【図１１】比較例の表面Ｐｓの光学顕微鏡による画像である。
【図１２】実施例の表面Ｒｓの光学顕微鏡による画像である。
【図１３】実施例の表面Ｐｓの光学顕微鏡による画像である。
【図１４】比較例の表面Ｒｓがエッチングされた後の光学顕微鏡による画像である。
【図１５】比較例の表面Ｐｓがエッチングされた後の光学顕微鏡による画像である。
【図１６】実施例の表面Ｒｓがエッチングされた後の光学顕微鏡による画像である。
【図１７】実施例の表面Ｐｓがエッチングされた後の光学顕微鏡による画像である。
【発明を実施するための形態】
【００１３】
以下、図面を参照しながら、本発明の切割方法、その切割方法に使用する超音波ワイヤ切割装置の各実施形態及びウェハー製造方法について詳しく説明する。
【００１４】
図３は本発明の切割方法のプロセスを示す図である。図４は本発明の超音波ワイヤ切割装置の第１の実施形態を示す部分断面図である。図５は図４におけるＶ-Ｖ線に沿った部分断面図である。
【００１５】
本発明の切割方法は、図３に示されるように、準備工程１０１と切割工程１０２を順に行なう。
【００１６】
準備工程１０１において、先ず、図４及び図５に示されるように、上方に開口２１１を有する貯液槽２０と、貯液槽２０に設置されている超音波発振機３と、貯液槽２０の相対する両側のそれぞれに設置されている２つ切割駆動装置５と、引っ張られていて貯液槽２０の開口２１１の上方を横断し、且つ、２つの切割駆動装置５の作動により長手方向に往復動し、摩擦により切割作業を行うことができるように２つ切割駆動装置５を渡るように設置されている複数の切割ワイヤ４と、を備える超音波ワイヤ切割装置２を用意する。また、複数の切割ワイヤ４において貯液槽２０の開口２１１の上方を横断する部分は、複数の互いに平行する長条網目を有する網状になるので、切割ワイヤネットと称することもできる。
【００１７】
そして、超音波振動を伝導できる伝導用液体２００を、液面２０１が貯液槽２０内において所定の高さに達するように貯液槽２０に注入する。
【００１８】
図５及び図７に示されるように、複数の切割ワイヤ４として、いずれも、上方からくる被切割物７００に対して下から切割作業を行って、毛細管現象が生ずる幅のスリット４００を被切割物７００に形成できる直径Ｒを有するものを使用し、且つ、複数の切割ワイヤ４を、上方からくる被切割物７００が切割され始める時点から下方へ進む先頭が伝導用液体２００の液面２０１に接触した時点までの暫時のドライ切割段階に切割ワイヤが上方からくる被切割物７００の押圧による下方への変形で伝導用液体２００と接触しないように、液面２０１より上方に所定の距離Ｈの位置に設置する。
【００１９】
スリット４００の前記幅は、切割の際に、スリット４００内にある切割ワイヤ４を濡らすように伝導用液体２００を吸い上げできる毛細管現象を生じるように形成される。
【００２０】
図７は上記第１の実施形態の超音波ワイヤ切割装置で被切割物を切割する前の状態を示す部分断面図である。図８は上記第１の実施形態の超音波ワイヤ切割装置で被切割物を切割する途中の状態を示す部分断面図である。図９は上記第１の実施形態の超音波ワイヤ切割装置で被切割物を切割する過程を示す部分断面図である。
【００２１】
切割工程１０２において、先ず、図７及び図９に示されるように、超音波ワイヤ切割装置２を作動させる。そして、被切割物７００を切割ワイヤ４の上方から切割ワイヤ４に切割されるように下方へ移動させ、図８及び図９に示されるように、該下方移動によりスリット４００を形成しながら被切割物７００の当該スリット４００の開口が形成された先頭を伝導用液体２００に進入させる。
【００２２】
そうすると、被切割物７００の前記下方移動中に、被切割物７００のスリット４００の開口が形成された先頭が伝導用液体２００に接触し始めた時点から伝導用液体２００はスリット４００による前記毛細管現象で、スリット４００内に吸い上げられ、スリット４００内にある切割ワイヤ４を濡らすと共に、超音波発振機３から発する超音波振動が伝導用液体２００を介して切割ワイヤ４及び被切割物７００に伝導して、切割ワイヤ４で被切割物７００を超音波切割するウェット切割段階を行う。
【００２３】
図９に示されるように、この実施形態において、被切割物７００を切割ワイヤ４の上方から切割ワイヤ４に切割されるように下方へ移動させて被切割物７００が切割ワイヤ４に接触すると、切割ワイヤ４が被切割物７００の押圧によって一部が下方への変形し、伝導用液体２００の液面２０１に接近すると共に、被切割物７００に毛細管現象が生ずる幅のスリット４００を切り出す。当該下方への変形は、受けた押圧力により変形の程度に差が生じる。
【００２４】
そして、被切割物７００のスリット４００の開口が形成された先頭が伝導用液体２００に接触すると、伝導用液体２００は前記毛細管現象で、スリット４００内に吸い上げられ、超音波発振機３から発する超音波振動が切割ワイヤ４及び被切割物７００に伝導されて、切割ワイヤ４で被切割物７００を超音波切割する。切割完了後、切割ワイヤ４は元の位置に戻る。なお、切割工程１０２において、切割ワイヤ４は、両側が伝導用液体２００の液面２０１より上方に所定の距離Ｈの位置に保持されると共に、伝導用液体２００の液面２０１に接触しない。
【００２５】
また、この実施形態において、切割ワイヤ４として、表面にダイヤモンドの砥粒を有するダイヤモンドワイヤを使用するので、数回の切割作業を行うと、切割ワイヤ４における表面のダイヤモンドの砥粒が摩耗または脱落して、切割力が落ちる。その際、切割力を維持するため、被切割物７００が切割ワイヤ４に対する押圧が強くなるので、切割ワイヤ４は伝導用液体２００の液面２０１に接触するように変形する恐れがある。
【００２６】
超音波発振機３から発する超音波振動が伝導用液体２００を介して切割ワイヤ４及び被切割物７００に伝導すると、自身の長手方向に往復動する切割ワイヤ４が、更に該長手方向と異なる方向で振動するので、一定の時間内に被切割物７００と接触する面積が増えて、切割力が向上することができる。
【００２７】
また、超音波発振機３から発する超音波振動により、伝導用液体２００内に微細な泡が発生し且つ破裂するキャビテーション（ｃａｖｉｔａｔｉｏｎ  ｅｆｆｅｃｔ）生じ、このキャビテーションは、スリット４００内及び切割ワイヤ４上の切り屑を除去する効果があり、切割した後、切割された被切割物７００を取り上げる際にも、切割された被切割物７００に付着する切り屑などの汚れを洗浄する効果がある。
【００２８】
この実施形態において、切割ワイヤ４を切割ワイヤ４を直径Ｒが４０μｍ〜１５０μｍの範囲内にあるものを使用する。
【００２９】
伝導用液体２００としては、特に制限が無く、当業者が一般に超音波切割に使用する液体を用いることができ。例えば、水、オイル、アルコール類、高密度混合液などの液体を使用することができる。被切割物７００としては、結晶体、金属、合金、セラミックなどの固い物体が挙げられる。
【００３０】
液面２０１より上方の距離Ｈは、過大に設定されると、切割ワイヤ４に伝導された超音波のエネルギーが大きく減衰されるので、距離Ｈを被切割物７００の厚さ以下になるように設定することが好ましく、例えば８インチウエハーの原料となる結晶シリコンインゴットの厚さ（直径）が２００ｍｍの場合、液面２０１より上方の距離Ｈを、２００ｍｍ以内に設定して切割ワイヤ４を設置し、２０ｍｍ〜１６０ｍｍの範囲内に設定して切割ワイヤ４を設置することが好ましく、１０ｍｍ〜６０ｍｍの範囲内に設定して切割ワイヤ４を設置することがより好ましい。
【００３１】
上記の方法によれば、切割ワイヤ４は、スリットによる毛細管現象で、スリット内に吸い上げられる伝導用液体２００で濡らされるので、切割ワイヤ４が伝導用液体２００に浸入せずに超音波切割を行うことができる。従って、従来の切割方法よりも伝導用液体２００の抵抗による耗損を減少でき、切割ワイヤ４が断裂しまたは切割位置からズレにくくなる。
【００３２】
本発明のウェハー製造方法は、上記の切割方法を使用して結晶シリコンインゴットを切割して複数のウェハーを得た後、更に該ウェハーをエッチングするエッチング工程を備える製造方法である。
【００３３】
前記エッチング工程は、公知のエッチング方法及びエッチング液で、該ウェハーの表面をエッチングすることにより、該ウェハーの表面を粗面化する工程である。
【００３４】
以下、実施例及び比較例を用いて、本発明のウェハー製造方法の効果を説明する。
【００３５】
実施例は、本発明のウェハー製造方法により製造されたウェハーである。比較例は、超音波発振機３を使用せずに切割したウェハーである。
【００３６】
実施例及び比較例のウェハーは、切割ワイヤ４の往復動により、結晶シリコンインゴットを切割して得るもので、切割ワイヤ４がウェハーの表面になる結晶シリコンインゴットのスリット４００の両側面、即ち図８の側面Ａ及び側面Ｂで示す面に接触する頻度が一定ではない。従って、側面Ａ及び側面Ｂには、接触頻度が高く、切割より生じる縞模様が多い表面（Ｒｉｃｈ−ｓｉｄｅ、以下「表面Ｒｓ」に略称する）と、接触頻度が低く、切割より生じる縞模様が少ない表面（Ｐｏｏｒ−ｓｉｄｅ、以下「表面Ｐｓ」に略称する）とを有する。即ち、側面Ａには、表面Ｒｓ及び表面Ｐｓを有し、側面Ｂには、表面Ｒｓ及び表面Ｐｓを有する。
【００３７】
次に、光学顕微鏡で実施例及び比較例の一部の表面を分析する。
【００３８】
図１０は比較例の表面Ｒｓの光学顕微鏡による画像である。図１１は比較例の表面Ｐｓの光学顕微鏡による画像である。図１２は実施例の表面Ｒｓの光学顕微鏡による画像である。図１３は実施例の表面Ｐｓの光学顕微鏡による画像である。
【００３９】
図１０〜図１３に示されるように、実施例のウェハーの表面Ｒｓ及び表面Ｐｓは、脆性（もろさ）構造が比較例のウェハーの表面Ｒｓ及び表面Ｐｓより多く、且つより均一に分布している。
【００４０】
そして、同じ表面にエッチングした後、光学顕微鏡でエッチングされた実施例及び比較例の一部の表面を分析する。
【００４１】
図１４は比較例の表面Ｒｓがエッチングされた後の光学顕微鏡による画像である。図１５は比較例の表面Ｐｓがエッチングされた後の光学顕微鏡による画像である。図１６は実施例の表面Ｒｓがエッチングされた後の光学顕微鏡による画像である。図１７は実施例の表面Ｐｓがエッチングされた後の光学顕微鏡による画像である。
【００４２】
図１４〜図１７に示されるように、エッチングされた実施例のウェハーの表面Ｒｓ及び表面Ｐｓは、脆性構造が多いので、スエード（ｓｕｅｄｅ）構造がエッチングされた比較例のウェハーの表面Ｒｓ及び表面Ｐｓより均一に形成されて、他のデバイスに適用されると、より優れた効果を有する。
【００４３】
なお、本発明の切割方法により、切割された表面の反射率が３３％以下になるので、多結晶シリコンを切割して太陽電池に適用すると、高反射率により太陽電池が短絡して出力電流が低下することを減少でき、太陽電池の変換効率を向上することができる。
【００４４】
本発明の超音波ワイヤ切割装置は、上記本発明の切割方法に使用する超音波ワイヤ切割装置であって、以下、本発明の超音波ワイヤ切割装置の各実施形態について詳しく説明する。
【００４５】
＜第１の実施形態＞
本発明の超音波ワイヤ切割装置２は、図４及び図５に示されるように、上方に開口２１１を有し、且つ超音波振動を伝導できる伝導用液体２００を収容できるように構成されている貯液槽２０と、貯液槽２０に設置されている超音波発振機３と、貯液槽２０の相対する両側のそれぞれに設置されている２つ切割駆動装置５と、引っ張られていて貯液槽２０の開口２１１の上方を横断し、且つ、２つ切割駆動装置５の作動により長手方向に往復動し、摩擦により切割作業を行うことができるように設置されている複数の切割ワイヤ４と、を備えている。
【００４６】
複数の切割ワイヤ４は、いずれも、図７〜図９に示されるように、上方からくる被切割物７００に対して下から切割作業を行って、毛細管現象が生ずる幅のスリット４００を被切割物７００に形成できる直径Ｒを有するものであって、貯液槽２０に伝導用液体２００が注入されて、作業中に上方からくる被切割物７００が切割され始める時点から、下方へ進む先頭がすでに貯液槽２０に収容されている伝導用液体２００の液面に接触した時点までの暫時のドライ切割段階に、切割ワイヤ４が上方からくる被切割物７００の押圧による下方への変形で伝導用液体２００と接触しないように、伝導用液体２００の液面２０１より上方に所定の距離Ｈの位置に設置されている。
【００４７】
複数の切割ワイヤ４は、いずれも、直径Ｒが３００μｍ以下にあるものが好ましく、４０μｍ〜１５０μｍの範囲内にあるものがより好ましく、液面２０１より上方の距離Ｈが２００ｍｍ以内になるように設置されていて、水平面にて並列方向Ｙに沿って所定の方向に延伸するように配列されている。
【００４８】
この実施形態において、貯液槽２０の開口２１１の上方にある複数の切割ワイヤ４は、表面にダイヤモンドの砥粒を有するダイヤモンドワイヤであって、複数の互いに平行する長条網目を有する網状になる。
【００４９】
２つの切割駆動装置５は、複数の切割ワイヤ４を長手方向に往復動させて、摩擦により切割作業を行うことができる構成があれば、特に制限しない。
【００５０】
例えば、回転駆動手段により回転駆動される２つのメインロールを有し、複数の切割ワイヤ４が該２つのメインロールに巻掛けるように設置されて、該メインロールの回転により複数の切割ワイヤ４が自身の長手方向に往復動することができるように構成することができ、或いは、回転駆動手段により回転駆動され、互いに平行に設置されている２つの駆動ロールと、該２つの駆動ロールのそれぞれの回転に連動されて回転できると共に該２つの駆動ロールの間に、該２つの駆動ロールと平行に設置されている２つの補助ロールと、を有し、複数の切割ワイヤ４が該２つの駆動ロール及び該２つの補助ロールに巻掛けるように設置されて、該回転駆動により往復動することができるように構成することもできる。駆動ロールの直径が補助ロールの直径より大きい場合、補助ロールの上端縁を駆動ロールの上端縁より高く設定する。なお、補助ロールに自己作動機能を有することもできる。
【００５１】
この実施形態において、超音波発振機３は、図４に示されるように、貯液槽２０の伝導用液体２００を収容する収容空間２１内において、底部の中央位置に設置されている。
【００５２】
伝導用液体２００の液面２０１の高度を調整するために、貯液槽２０には、液進入口及び液排出口を開けることもできる。
【００５３】
この構成によれば、切割ワイヤ４は、図９に示されるように、被切割物７００を切割すると、スリット４００による毛細管現象で、スリット内に吸い上げられる伝導用液体２００で濡れるので、超音波発振機３から発する超音波振動が伝導用液体２００を介してスリット内の切割ワイヤ４及び被切割物７００に伝導し、切割ワイヤ４が伝導用液体２００に浸入せず超音波切割ができる。従って、従来の切割方法より伝導用液体２００の抵抗による耗損を減少でき、切割ワイヤ４が断裂しにくくなりまたは切割位置からズレにくくなる。
【００５４】
＜第２の実施形態＞
本発明の超音波ワイヤ切割装置の第２の実施形態は、上記第１の実施形態と多くの構成が共通するので、ここでは詳しい説明を省略し、その相違点のみを説明する。
【００５５】
図６は本発明の超音波ワイヤ切割装置の第２の実施形態を示す断面図である。
【００５６】
この実施形態において、図６に示されるように、超音波発振機３は、複数の切割ワイヤ４の並列方向Ｙに沿って、貯液槽２０の複数の切割ワイヤ４の延伸方向の両端側に設置されている複数の超音波振動子３１を備えている。
【００５７】
なお、出力が異なる複数の超音波発振機３または複数の超音波振動子３１を設置することができ、周波数が異なる複数の超音波発振機３または複数の超音波振動子３１を設置することもできる。出力または周波数が異なる複数の超音波発振機３または複数の超音波振動子３１を設置することにより、大きさが異なる切り屑を更に効率的に除去することができて、洗浄効果が向上できる。
【産業上の利用可能性】
【００５８】
本発明の切割方法及び超音波ワイヤ切割装置は、一般の切割作業に使用することができ、更に切割してウェハーを製造することにさらに好適である。
【符号の説明】
【００５９】
１０１  準備工程
１０２  切割工程
２０  貯液槽
２１  収容空間
２１１  開口
２００  伝導用液体
２０１  液面
３  超音波発振機
３１  超音波振動子
４  切割ワイヤ
４００  スリット
５  切割駆動装置
７００  被切割物
Ａ、Ｂ  側面
Ｒ  直径
Ｈ  距離
Ｒｓ  表面
Ｐｓ  表面
Ｙ  並列方向
【図１】
2018043341.tif 000003
【図２】
2018043341.tif 000004
【図３】
2018043341.tif 000005
【図４】
2018043341.tif 000006
【図５】
2018043341.tif 000007
【図６】
2018043341.tif 000008
【図７】
2018043341.tif 000009
【図８】
2018043341.tif 000010
【図９】
2018043341.tif 000011
【図１０】
2018043341.tif 000012
【図１１】
2018043341.tif 000013
【図１２】
2018043341.tif 000014
【図１３】
2018043341.tif 000015
【図１４】
2018043341.tif 000016
【図１５】
2018043341.tif 000017
【図１６】
2018043341.tif 000018
【図１７】
2018043341.tif 000019